(57)【要約】【課題】  常時第１、第２の無線通信方式の双方を動作させると共に、双方が動作するタイミングが重なることをいずれか一方を停止させずに回避するデュアルモード端末を提供する。【解決手段】  本発明の代表的な構成は、第１の無線通信方式により情報の送受信を行う第１送受信部１０２と、第２の無線通信方式により情報の送受信を行う第２送受信部１０４とを備え、第１送受信部１０２及び第２送受信部１０４それぞれがページングチャネルを間欠受信するデュアルモード端末１００であって、第１送受信部１０２及び第２送受信部１０４それぞれの送受信状態を記憶する送受信状態記憶部１３６と、第１送受信部１０２の間欠受信の受信タイミングと第２送受信部１０４の間欠受信の受信タイミングとが重なる場合、送受信状態の良好な一方にそのタイミングで間欠受信させ他方の受信タイミングを重ならないようにずらす制御部１２６と、をさらに備えることを特徴とする。【選択図】図１
2013247444.tif 000002
【特許請求の範囲】
【請求項１】
第１の無線通信方式により基地局と情報の送受信を行う第１送受信部と、第２の無線通信方式により基地局と情報の送受信を行う第２送受信部とを備え、該第１送受信部及び該第２送受信部それぞれが基地局から発せられるページングチャネルを間欠受信するデュアルモード端末であって、
前記第１送受信部及び前記第２送受信部それぞれの送受信状態を記憶する送受信状態記憶部と、
前記第１送受信部の間欠受信の受信タイミングと前記第２送受信部の間欠受信の受信タイミングとが重なる場合、前記送受信状態の良好な一方にそのタイミングで間欠受信させ他方の受信タイミングを重ならないようにずらす制御部と、
をさらに備えることを特徴とするデュアルモード端末。
【請求項２】
無線チャネルのフレームを分割しタイムスロットをユーザに割り当てる第１の無線通信方式により基地局と情報の送受信を行う第１送受信部と、第２の無線通信方式により基地局と情報の送受信を行う第２送受信部とを備え、該第１送受信部及び該第２送受信部それぞれが基地局から発せられるページングチャネルを間欠受信するデュアルモード端末であって、
当該ユーザに割り当てられるタイムスロットを使用して前記第１送受信部が情報の送受信を行う送受信タイミングと前記第２送受信部の間欠受信の受信タイミングとが重なる場合、該第１送受信部にそのタイミングで送受信させ該第２送受信部の受信タイミングを重ならないようにずらす、または、該第２送受信部にそのタイミングで間欠受信させ該第１送受信部の送受信タイミングを重ならないようにずらす制御部と、
をさらに備えることを特徴とするデュアルモード端末。
【請求項３】
第１の無線通信方式により基地局と情報の送受信を行う第１送受信部と、第２の無線通信方式により基地局と情報の送受信を行う第２送受信部とを備え、該第１送受信部及び該第２送受信部それぞれが基地局から発せられるページングチャネルを間欠受信するデュアルモード端末の間欠受信方法であって、
前記第１送受信部及び前記第２送受信部それぞれの送受信状態を記憶する記憶ステップと、
前記第１送受信部の間欠受信の受信タイミングと前記第２送受信部の間欠受信の受信タイミングとが重なるか否かを予測する予測ステップと、
それぞれの前記受信タイミングが重なる場合、前記送受信状態の良好な一方にそのタイミングで間欠受信させ他方の受信タイミングを重ならないようにずらす調整ステップと、
を含むことを特徴とする間欠受信方法。
【請求項４】
無線チャネルのフレームを分割しタイムスロットをユーザに割り当てる第１の無線通信方式により基地局と情報の送受信を行う第１送受信部と、第２の無線通信方式により基地局と情報の送受信を行う第２送受信部とを備え、該第１送受信部及び該第２送受信部それぞれが基地局から発せられるページングチャネルを間欠受信するデュアルモード端末の間欠受信方法であって、
当該ユーザに割り当てられるタイムスロットを使用して前記第１送受信部が情報の送受信を行う送受信タイミングと前記第２送受信部の間欠受信の受信タイミングとが重なるか否かを予測する予測ステップと、
前記第１送受信部の送受信タイミングと前記第２送受信部の受信タイミングとが重なる場合、該第１送受信部にそのタイミングで送受信させ該第２送受信部の受信タイミングを重ならないようにずらす、または、該第２送受信部にそのタイミングで間欠受信させ該第１送受信部の送受信タイミングを重ならないようにずらす調整ステップと、
を含むことを特徴とする間欠受信方法。
【発明の詳細な説明】
【技術分野】
【０００１】
本発明は、デュアルモード端末およびその間欠受信方法に関する。
【背景技術】
【０００２】
第１の無線通信方式と第２の無線通信方式とを使用可能なデュアルモード端末が普及している。デュアルモード端末では、第１の無線通信方式、第２の無線通信方式それぞれにおいて、基地局から発せられるページングチャネルを間欠受信する。しかし第１の無線通信方式、第２の無線通信方式の間欠受信の受信タイミングが重なる場合、互いの電波が干渉して受信感度が悪化する。また、瞬間的に電力消費量が高まるため電力不足によって動作不良を招いたり、一方の回路から生じる高周波ノイズが電源ラインやグランドライン等を通じて他方の回路に影響を及ぼしたりするおそれがある（コモンモードノイズ）。
【０００３】
そのため、従来のデュアルモード端末では、第１の無線通信方式、第２の無線通信方式のいずれか一方を選択し、選択した無線通信方式のみを動作させる構成を採用していた。特許文献１、２には、デュアルモード端末において動作している一方のページングチャネルを通じて、動作していない他方の起動要求を行う技術が開示されている。その一方で、特許文献３には、第１の無線通信方式、第２の無線通信方式の双方を動作させ、それぞれの間欠受信の受信タイミングが重なる場合にいずれか一方を選択する（他方を停止する）技術が開示されている。
【先行技術文献】
【特許文献】
【０００４】
【特許文献１】特開２００３−１６９３７９号公報
【特許文献２】特開２００７−３００４２０号公報
【特許文献３】特開２００１−０３６９５８号公報
【発明の概要】
【発明が解決しようとする課題】
【０００５】
ユーザがデュアルモード端末を利用する理由の一つとして、第１、第２の無線通信方式を使用可能とすることで単一の無線通信方式を使用する場合に比して無線品質の劣化や回線の混雑による通信不通といった問題を回避し易くなることがある。このためには、できる限り常時、第１、第２の無線通信方式の双方を動作させる（双方で間欠受信する）必要がある。
【０００６】
特許文献１、２の技術では、動作している一方のページングチャネルを通じて、動作していない他方の起動要求を行うため、動作している一方の通信状態が悪くなった場合に双方とも使用できなくなってしまう（繋がりづらくなってしまう）おそれがある。特許文献３の技術では、間欠受信の受信タイミングが重なる場合に、通信状態の悪いほうを選択し、良いほうを停止してしまうおそれがある。すると第１、第２の無線通信方式の双方で着信を受けられなくなってしまい、通話の開始が遅れ、システム全体としての消費電力も却って増大してしまう。
【０００７】
本発明は、上記課題に鑑み、常時第１、第２の無線通信方式の双方を動作させると共に、双方が動作するタイミングが重なることをいずれか一方を停止させずに回避するデュアルモード端末およびその間欠受信方法を提供することを目的とする。
【課題を解決するための手段】
【０００８】
上記課題を解決するために本発明の代表的な構成は、第１の無線通信方式により基地局と情報の送受信を行う第１送受信部と、第２の無線通信方式により基地局と情報の送受信を行う第２送受信部とを備え、第１送受信部及び第２送受信部それぞれが基地局から発せられるページングチャネルを間欠受信するデュアルモード端末であって、第１送受信部及び第２送受信部それぞれの送受信状態を記憶する送受信状態記憶部と、第１送受信部の間欠受信の受信タイミングと第２送受信部の間欠受信の受信タイミングとが重なる場合、送受信状態の良好な一方にそのタイミングで間欠受信させ他方の受信タイミングを重ならないようにずらす制御部と、をさらに備えることを特徴とする。
【０００９】
上記課題を解決するために本発明の代表的な他の構成は、無線チャネルのフレームを分割しタイムスロットをユーザに割り当てる第１の無線通信方式により基地局と情報の送受信を行う第１送受信部と、第２の無線通信方式により基地局と情報の送受信を行う第２送受信部とを備え、第１送受信部及び第２送受信部それぞれが基地局から発せられるページングチャネルを間欠受信するデュアルモード端末であって、当該ユーザに割り当てられるタイムスロットを使用して第１送受信部が情報の送受信を行う送受信タイミングと第２送受信部の間欠受信の受信タイミングとが重なる場合、第１送受信部にそのタイミングで送受信させ第２送受信部の受信タイミングを重ならないようにずらす、または、第２送受信部にそのタイミングで間欠受信させ第１送受信部の送受信タイミングを重ならないようにずらす制御部と、をさらに備えることを特徴とする。
【００１０】
上記課題を解決するために本発明の代表的な他の構成は、第１の無線通信方式により基地局と情報の送受信を行う第１送受信部と、第２の無線通信方式により基地局と情報の送受信を行う第２送受信部とを備え、第１送受信部及び第２送受信部それぞれが基地局から発せられるページングチャネルを間欠受信するデュアルモード端末の間欠受信方法であって、第１送受信部及び第２送受信部それぞれの送受信状態を記憶する記憶ステップと、第１送受信部の間欠受信の受信タイミングと第２送受信部の間欠受信の受信タイミングとが重なるか否かを予測する予測ステップと、それぞれの受信タイミングが重なる場合、送受信状態の良好な一方にそのタイミングで間欠受信させ他方の受信タイミングを重ならないようにずらす調整ステップと、を含むことを特徴とする。
【００１１】
無線チャネルのフレームを分割しタイムスロットをユーザに割り当てる第１の無線通信方式により基地局と情報の送受信を行う第１送受信部と、第２の無線通信方式により基地局と情報の送受信を行う第２送受信部とを備え、第１送受信部及び第２送受信部それぞれが基地局から発せられるページングチャネルを間欠受信するデュアルモード端末の間欠受信方法であって、当該ユーザに割り当てられるタイムスロットを使用して第１送受信部が情報の送受信を行う送受信タイミングと第２送受信部の間欠受信の受信タイミングとが重なるか否かを予測する予測ステップと、第１送受信部の送受信タイミングと第２送受信部の受信タイミングとが重なる場合、第１送受信部にそのタイミングで送受信させ第２送受信部の受信タイミングを重ならないようにずらす、または、第２送受信部にそのタイミングで間欠受信させ第１送受信部の送受信タイミングを重ならないようにずらす調整ステップと、を含むことを特徴とする。
【発明の効果】
【００１２】
本発明によれば、常時第１、第２の無線通信方式の双方を動作させると共に、双方が動作するタイミングが重なることをいずれか一方を停止させずに回避するデュアルモード端末およびその間欠受信方法を提供することができる。
【図面の簡単な説明】
【００１３】
【図１】本実施形態にかかるデュアルモード端末の概略構成を示すブロック図である。
【図２】図１の送受信タイミング生成部について説明する図である。
【図３】図１のデュアルモード端末の間欠受信について説明する図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１５】
図１は、本実施形態にかかるデュアルモード端末１００の概略構成を示すブロック図である。図１に示すように、デュアルモード端末１００は、第１の無線通信方式により基地局と情報の送受信を行う第１送受信部１０２と、第２の無線通信方式により基地局と情報の送受信を行う第２送受信部１０４とを含む。また、デュアルモード端末１００は、信号の変復調を含む通信の制御を行うベースバンド部１２８と、当該端末全体の制御・管理を行う主制御部１３０とを含む。
【００１６】
なお、本実施形態では、第１の無線通信方式はＰＨＳ（ＴＤＭＡ／ＴＤＤ）であり、第２の無線通信方式はＷ−ＣＤＭＡである。しかし、これに限らずＬＴＥ（ＯＦＤＭＡ／ＳＣ−ＦＤＭＡ）、ＰＤＣ（ＦＤＤ−ＴＤＭＡ）、ＧＳＭ（登録商標）（ＦＤＤ−ＴＤＭＡ）等を採用してもよい。
【００１７】
第１送受信部１０２は、アンテナ１０６を含む高周波回路部１１０と、Ｉ/Ｆ部１１４（インターフェース部）とを含む。Ｉ/Ｆ部１１４は、アナログ信号をデジタル信号に変換するＡ/Ｄ変換部１１８と、デジタル信号をアナログ信号に変換するＤ/Ａ変換部１２２と、コントローラ１３２とを備える。第２送受信部１０４も同様に、アンテナ１０８を含む高周波回路部１１２と、Ｉ/Ｆ部１１６とを含む。Ｉ/Ｆ部１１６も同様に、アナログ信号をデジタル信号に変換するＡ/Ｄ変換部１２０と、デジタル信号をアナログ信号に変換するＤ/Ａ変換部１２４と、コントローラ１３４とを備える。
【００１８】
ベースバンド部１２８は、中央処理装置（ＣＰＵ）を含んで構成される制御部１２６と、第１送受信部１０２及び第２送受信部１０４それぞれの送受信状態すなわち待受け時の受信レベル、データ誤り率、通話履歴等を記憶する送受信状態記憶部１３６とを含む。送受信状態記憶部１３６は、ＲＡＭやＲＯＭ、フラッシュメモリ等で構成される。
【００１９】
また、ベースバンド部１２８は、第１送受信部１０２の送信タイミング及び受信タイミング、第２送受信部１０４の送信タイミング及び受信タイミングを生成する送受信タイミング生成部１４６を含む。また、ベースバンド部１２８は、信号の変復調を実行するベースバンド信号処理部１３８を含む。
【００２０】
第１送受信部１０２及び第２送受信部１０４は、それぞれ、基地局から発せられるページングチャネルを間欠受信する。間欠受信の受信タイミングは、送受信タイミング生成部１４６によって生成される。図２は、送受信タイミング生成部１４６について説明する図である。図２に示すように、送受信タイミング生成部１４６は、第１の無線通信方式のタイミング生成部１４０と、第２の無線通信方式のタイミング生成部１４２と、タイミング比較部１４４とを備える。
【００２１】
タイミング生成部１４０、１４２は、制御部１２６によって設定される基準値に基いて送信タイミング、受信タイミングを決定し、コントローラ１３２、１３４に送信タイミング信号、受信タイミング信号を送信する。送信タイミング信号、受信タイミング信号を受けたコントローラ１３２、１３４は、タイミング生成部１４０、１４２が決定した送信タイミングでの送信、受信タイミングでの受信を高周波回路部１１０、１１２に実行させる。
【００２２】
タイミング比較部１４４は、タイミング生成部１４０、１４２が決定する送信タイミング、受信タイミングを監視することで、第１送受信部１０２及び第２送受信部１０４それぞれの動作タイミングの重なり（一致）を予測し、そのタイミングを制御部１２６に報知する。制御部１２６は、第１送受信部１０２及び第２送受信部１０４それぞれの動作タイミングが重なる場合に、これを回避する制御を実行する。以下、この制御について説明する。
【００２３】
図３は、デュアルモード端末１００の間欠受信について説明する図である。図３（ａ）では制御部１２６による制御を適用していない場合を図示しており、図３（ｂ）では制御部１２６による制御を適用した場合について図示している。なお。ここでは、第１の無線通信方式の間欠受信周期は３secであり、第２の無線通信方式の間欠受信周期は３．７５secである。
【００２４】
図３（ａ）に示すように、第１送受信部１０２、第２送受信部１０４の電源をＯＮにすると、それぞれが基地局をサーチし間欠受信を開始する。ここで第１送受信部１０２及び第２送受信部１０４それぞれの動作タイミングが重なると、互いが干渉して受信感度が悪化したり、回路内でのノイズが増大したりしてしまう。図中、基地局をサーチする区間を“サーチ区間”、間欠受信動作を行う区間を“受信動作区間”、間欠受信動作を行わない区間を“非動作区間”として図示する。なお、“受信動作区間”は実際には数μｓｅｃである。
【００２５】
そこで本実施形態では、図３（ｂ）に示すように制御部１２６が第１送受信部１０２及び第２送受信部１０４に間欠受信を実行させる。具体的には、制御部１２６は、第１送受信部１０２及び第２送受信部１０４それぞれの待受け時の受信レベルやデータ誤り率、通話履歴等を送受信状態記憶部１３６に予め記憶しておく（記憶ステップ）。一方、タイミング比較部１４４は第１送受信部１０２の間欠受信の受信タイミングと第２送受信部１０４の間欠受信の受信タイミングとの重なりを予測し、制御部１２６に報知する（予測ステップ）。制御部１２６は、送受信状態記憶部１３６を参照して送受信状態の良好な一方にそのタイミングで間欠受信させ、他方の受信タイミングを重ならないようにずらす（調整ステップ）。
【００２６】
送受信状態の良好な一方は、予め設定された所定基準に基いて選択される。例えば、待受け時の受信レベルの良悪、データ誤り率の良悪、いずれの無線通信方式での通話履歴が多いかなどに基いて選択される。ここでは第１の無線通信方式を送受信状態の良好な一方として選択しているが、当然ながら上記のような基準に基いて第２の無線通信方式を送受信状態の良好な一方として選択してもよい。
【００２７】
他方の受信タイミングを重ならないようにずらす制御は、以下のようにして行われる。すなわち、制御部１２６は、送受信状態の良好な一方として選択された第１送受信部１０２の間欠受信の受信タイミングと重ならないようにするため、第２送受信部１０４の受信タイミングを生成するタイミング生成部１４２の基準値を変更する。また、制御部１２６は、第１送受信部１０２の間欠受信の受信タイミングと重ならないタイミングで、アップリンクの制御チャネルを介して第２送受信部１０４の基地局にページングチャネル位置（受信タイミング）の変更を要求する。
【００２８】
このとき制御部１２６は、基地局側へ第１送受信部１０２の間欠受信の受信タイミングと重ならないタイミングのダウンリンク制御チャネルを指定する。そして、制御部１２６は、ダウンリンク制御チャネルを介して基地局側からページングチャネル位置の変更を受信し、第２送受信部１０４の間欠受信を変更された受信タイミングで実行させる。これにより、いずれか一方を停止させることなく、間欠受信の受信タイミングが重なることを回避できる。なお、第２送受信部１０４の間欠受信の受信タイミングをずらすのは、第１送受信部１０２の受信タイミングと重なるところのみである。
【００２９】
また制御部１２６は、発信または着信により第１送受信部１０２が当該ユーザに割り当てられるタイムスロットを使用して情報の送受信を行うようになった場合にも、上記と同様の制御を行う。すなわち、制御部１２６は、当該ユーザに割り当てられるタイムスロットを使用して第１送受信部１０２が情報の送受信を行う送受信タイミングと、第２送受信部１０４の間欠受信の受信タイミングとが重なることをタイミング比較部１４４によって報知された場合、これらが重ならないように制御する。具体的には、第１送受信部１０２にそのタイミングで送受信させ第２送受信部１０４の受信タイミングを重ならないようにずらすか、または第２送受信部１０４にそのタイミングで間欠受信させ第１送受信部１０２の送受信タイミングを重ならないようにずらす。これにより、いずれか一方を停止させることなく、情報の送受信を行う送受信タイミングと間欠受信の受信タイミングとが重なることを回避できる。
【００３０】
なお、本実施形態では第１の無線通信方式をＰＨＳ（ＴＤＭＡ／ＴＤＤ）としたが、これに限らず無線チャネルのフレームを分割しタイムスロットをユーザに割り当てる無線通信方式であれば、上記のような間欠受信の受信タイミングと重なることを回避する制御を実行することができる。なお、第１の無線通信方式に限らず、第２の無線通信方式にタイムスロットをユーザに割り当てる無線通信方式を採用してもよい。
【００３１】
以上、上述した構成によれば、常時第１、第２の無線通信方式の双方を動作させると共に、双方が動作するタイミングが重なることをいずれか一方を停止させずに回避することができる。したがって、デュアルモード端末１００の利点を最大限に発揮させることができると共に、通話を迅速に開始できる（着呼を迅速に受けられる）ためシステム全体としての消費電力を抑える効果も奏する。
【００３２】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３３】
本発明は、デュアルモード端末およびその間欠受信方法として利用可能である。
【符号の説明】
【００３４】
１００…デュアルモード端末、１０２…第１送受信部、１０４…第２送受信部、１０６、１０８…アンテナ、１１０、１１２…高周波回路部、１１４、１１６…Ｉ/Ｆ部、１１８、１２０…Ａ/Ｄ変換部、１２２、１２４…Ｄ/Ａ変換部、１２６…制御部、１２８…ベースバンド部、１３０…主制御部、１３２、１３４…コントローラ、１３６…送受信状態記憶部、１３８…ベースバンド信号処理部、１４０、１４２…タイミング生成部、１４４…タイミング比較部、１４６…送受信タイミング生成部
【図１】
2013247444.tif 000003
【図２】
2013247444.tif 000004
【図３】
2013247444.tif 000005